(57)【要約】【課題】認証装置などの特別な装置を充電のために設けることなく、外出時の第三者による充電コネクタの使用を防止することを目的とする。【解決手段】電子キー認証部２６によって玄関ドア２４の施錠が行われて、電子キー３２の再認識によって警戒モードへ移行した場合に、セキュリティ制御装置１４がＨＥＭＳ１２に警戒モード移行指示を出力する。そして、ＨＥＭＳ１２が、警戒モード移行指示を受信した場合に、充電装置１６のロック機構２２を作動するように充電装置１６に指示を行うことによって、充電装置１６がロック機構２２を作動して充電コネクタ２０の取り出しを制限する。【選択図】図１
2014171328.tif 000002
【特許請求の範囲】
【請求項１】
予め定めた警戒モードへの移行を指示する指示手段と、
住宅敷地内に設けられ、自動車に搭載された蓄電池に電気的に接続する充電コネクタを収納部にロック可能に収納し、前記充電コネクタに接続された前記蓄電池を充電する充電手段と、
前記指示手段によって前記警戒モードへの移行が指示された場合に、前記充電コネクタを前記収納部にロックするように、前記充電手段を制御する制御手段と、
を備えた充電装置制御システム。
【請求項２】
前記充電コネクタのロック状態を表示する表示手段を更に備えた請求項１に記載の充電装置制御システム。
【請求項３】
住宅内に設けられ、前記蓄電池への充電許可または充電禁止を制御する充電制御装置と、前記充電許可の状態かまたは前記充電禁止の状態かを表示する充電可否表示手段と、を更に備えた請求項１又は請求項２に記載の充電装置制御システム。
【請求項４】
住宅敷地内に設けられ、自動車に搭載された蓄電池に電気的に接続する充電コネクタを収納部にロック可能に収納し、前記充電コネクタに接続された前記蓄電池を充電する充電手段と、
予め定めた警戒モードへの移行を表す警戒情報を受信する受信手段と、
前記受信手段によって前記警戒情報を受信した場合に、前記充電コネクタを前記収納部にロックするように制御するロック制御手段と、
を備えた充電装置。
【発明の詳細な説明】
【技術分野】
【０００１】
本発明は、充電装置制御システム及び充電装置にかかり、特に、自動車等に搭載された蓄電池を充電する充電装置を制御する充電装置制御システム及び当該充電装置に関する。
【背景技術】
【０００２】
走行用の蓄電池を搭載したハイブリッド自動車や電気自動車が普及し始めている。これらの自動車の普及には充電装置の普及も欠かせない。
【０００３】
各住宅において、充電装置を設ける場合には、屋外の駐車場に設ける方が、駐車中に充電することができるため、効率的な充電が可能である。
【０００４】
しかしながら、屋外に充電装置を設けた場合には、意図しない第三者によって充電装置を利用されてしまう。
【０００５】
そこで、第三者による充電装置の不正使用を防止することが望まれ、種々の技術が提案されている。
【０００６】
例えば、特許文献１に記載の技術では、一方の端部が電源に連結して固定され、他方の端部が電気自動車の充電用の車両側コネクタに接続可能な接続端子が設けられた電源ケーブルと、電源ケーブルを格納するケーブル格納機構とを備えて、ケーブル格納機構が、電源ケーブルを巻き取って格納可能な回転体と、回転体の回転を固定するロック機構と、識別番号が入力される識別番号入力器と、入力された識別番号と予め登録されている識別番号とを照合する識別番号照合器とを有して、ロック機構が照合器にて両方の識別番号が一致した場合に、回転体の固定を解除するようにすることが提案されている。
【先行技術文献】
【特許文献】
【０００７】
【特許文献１】特開２００８−２５１３５５号公報
【発明の概要】
【発明が解決しようとする課題】
【０００８】
しかしながら、特許文献１に記載の技術では、回転体をロックする機構と、充電装置に識別番号の認証機能を搭載する必要があり、認証を行うための煩雑な操作を行う必要があり、利便的な充電装置とするためには、改善の余地がある。
【０００９】
本発明は、上記事実を考慮して成されたもので、認証装置などの特別な装置を充電のために設けることなく、外出時の第三者による充電コネクタの使用を防止することを目的とする。
【課題を解決するための手段】
【００１０】
上記目的を達成するために請求項１に記載の充電装置制御システムは、予め定めた警戒モードへの移行を指示する指示手段と、住宅敷地内に設けられ、自動車に搭載された蓄電池に電気的に接続する充電コネクタを収納部にロック可能に収納し、前記充電コネクタに接続された前記蓄電池を充電する充電手段と、前記指示手段によって前記警戒モードへの移行が指示された場合に、前記充電コネクタを前記収納部にロックするように、前記充電手段を制御する制御手段と、を備えている。
【００１１】
請求項１に記載の発明によれば、予め定めた警戒モードへの移行が指示手段によって指示される。
【００１２】
また、充電手段は、住宅敷地内に設けられ、自動車に搭載された蓄電池に電気的に接続する充電コネクタを収納部にロック可能に収納し、充電コネクタに接続された蓄電池を充電する。すなわち、充電コネクタを自動車に接続することによって、ハイブリッド自動車や電気自動車等の蓄電池を充電することができる。
【００１３】
そして、制御手段では、指示手段によって警戒モードへの移行が指示された場合に、充電コネクタを収納部にロックするように、充電手段が制御される。すなわち、警戒モードへの移行を指示するだけで、充電コネクタが収納部にロックするように制御手段によって制御されるので、認証装置等の特別な装置を充電のために設けることなく、外出時の第三者による充電コネクタの使用を防止することができる。
【００１４】
なお、請求項２に記載の発明のように、前記充電コネクタのロック状態を表示する表示手段を更に備えるようにしてもよい。すなわち、表示手段を設けることによって充電コネクタが収納部にロックされているか否かを確認することができる。
【００１５】
また、請求項３に記載の発明のように、住宅内に設けられ、前記蓄電池への充電許可または充電禁止を制御する充電制御装置と、前記充電許可の状態かまたは前記充電禁止の状態かを表示する充電可否表示手段と、を更に備えるようにしてもよい。すなわち、充電制御装置を更に設けることによって、住宅内から充電装置の利用を制限することができ、充電可否表示装置を設けることによって、充電装置の利用が制限されているか否かを確認することができる。
【００１６】
請求項４に記載の充電装置は、住宅敷地内に設けられ、自動車に搭載された蓄電池に電気的に接続する充電コネクタを収納部にロック可能に収納し、前記充電コネクタに接続された前記蓄電池を充電する充電手段と、予め定めた警戒モードへの移行を表す警戒情報を受信する受信手段と、前記受信手段によって前記警戒情報を受信した場合に、前記充電コネクタを前記収納部にロックするように制御するロック制御手段と、を備えている。
【００１７】
請求項４に記載の発明によれば、充電手段は、住宅敷地内に設けられ、自動車に搭載された蓄電池に電気的に接続する充電コネクタを収納部にロック可能に収納し、充電コネクタに接続された蓄電池を充電する。すなわち、充電コネクタを自動車に接続することによって、ハイブリッド自動車や電気自動車等の蓄電池を充電することができる。
【００１８】
また、受信手段では、予め定めた警戒モードへの移行を表す警戒情報を受信し、ロック制御手段では、受信手段によって警戒情報を受信した場合に、充電コネクタを収納部にロックするように制御される。すなわち、警戒モードへの移行を表す警戒情報を受信するだけで、充電コネクタが収納部にロックするように制御手段によって制御されるので、認証装置等の特別な装置を充電のために設けることなく、外出時の第三者による充電コネクタの使用を防止することができる。
【発明の効果】
【００１９】
以上説明したように本発明によれば、警戒モードへ移行する際には充電コネクタの収納部にロックされるので、認証装置などの特別な装置を充電のために設けることなく、外出時の第三者による充電コネクタの使用を防止することができる、という効果がある。
【図面の簡単な説明】
【００２０】
【図１】本発明の実施の形態に係わる充電装置制御システムの概略を示す模式図である。
【図２】本発明の実施の形態に係わる充電装置制御システムの機能構成を示すブロック図である。
【図３】本発明の実施の形態に係わる充電装置制御システムにおけるセキュリティ制御装置で行われる処理の流れの一例を示すフローチャートである。
【図４】本発明の実施の形態に係わる充電装置制御システムにおけるＨＥＭＳで行われる処理の流れの一例を示すフローチャートである。
【図５】本発明の実施の形態に係わる充電装置制御システムにおける充電装置で行われる処理の流れの一例を示すフローチャートである。
【発明を実施するための形態】
【００２１】
以下、図面を参照して本発明の実施の形態の一例を詳細に説明する。図１は、本発明の実施の形態に係わる充電装置制御システムの概略を示す模式図である。
【００２２】
本実施の形態に係わる充電装置制御システム１０は、住宅内で使用されるエネルギーを監視するＨＥＭＳ（Home Energy Management System）１２を備えていると共に、住宅内のセキュリティを制御するセキュリティ制御装置１４を備えている。
【００２３】
ＨＥＭＳ１２には、予め定めた区画毎に消費電力を計測するセンサが設けられた分電盤１８が接続されている。分電盤１８には、予め定めた区画（例えば、部屋毎等）の消費電力を計測する機能が設けられており、住宅内で使用された消費電力が分電盤１８によって計測され、計測結果がＨＥＭＳ１２に入力される。ＨＥＭＳ１２は、分電盤１８の計測結果の表示等を行う。なお、本実施の形態では、分電盤１８に備えた消費電力の計測機能によって住宅内のエネルギーを監視するものとして説明するが、これに限るものではなく、例えば、水の使用量やガスの使用量等を検出するセンサを設けて、電力以外のエネルギー消費を監視可能なようにしてもよい。また、住宅への電力の供給源は、商用電源のみでもよいが、太陽光発電や、風力発電、水力発電、燃料電池等の各種発電装置や蓄電池を電力の供給源として更に備えるようにしてもよいし、それ以外の電源を備えるようにしてもよい。住宅内への電力供給源として商用電源以外の電源を備える場合には、ＨＥＭＳは、最適な電力を使用するように、電力の供給制御も行う。
【００２４】
一方、セキュリティ制御装置１４は、玄関ドア２４に設けられた電子キー認証部２６、住宅の窓に設けられた鍵の状態を検出するクレセントセンサ２８、及び勝手口等の鍵の状態を検出するサムターンセンサ３０等が接続されている。セキュリティ制御装置１４は、各センサの検出結果を取得して、セキュリティの各種状態等の表示を行う。
【００２５】
電子キー認証部２６は、玄関ドア２４に設けられており、カードキー等の電子キー３２と通信することにより、認証を行って住宅の施錠及び解錠を行う。具体的には、ＲＦＩＤ（Radio Frequency IDentification）等の無線通信によって電子キー認証部２６が電子キー３２を検出し、電子キー認証部２６によって電子キー３２を検出した場合に、電子キー３２に予め記憶されたＩＤ等の識別情報をＲＦＩＤ等の無線通信によって読み出して、セキュリティ制御装置１４へ送信する。セキュリティ制御装置１４が、電子キー３２から読み出したＩＤ等の識別情報と予め登録された情報とを照合して合致するか否かを判定することにより認証を行い、認証が許可された場合に、玄関ドア２４の鍵を駆動するモータ等を駆動して施錠及び解錠を行うようになっている。また、本実施の形態では、施錠が行われた後に、予め定めた時間以内に、電子キー認証部２６が電子キー３２を再度認識した場合に、予め定めた警戒モード（外出モード）へ移行して、外出中の不正な鍵の操作や、不審者の侵入等を監視して、これらを検出した場合に警報等を発するようになっている。
【００２６】
なお、本実施の形態では、電子キー３２を電子キー認証部２６に２回認識させることで警戒モードへ移行するものとして説明するが、これに限るものではなく、例えば、人感センサ等を住宅内に設けて、電子キー認証部２６によって電子キー３２の認証を行う際に、人感センサによって住宅内に人が検出されない場合に施錠及び警戒モードへの移行を行うようにしてもよいし、或いは、セキュリティ制御装置１４やＨＥＭＳ１２によって警戒モードの設定がなされた状態で電子キー認証部３２によって電子キー３２の認証が行われた場合に、施錠及び警戒モードへの移行を行うようにしてもよい。
【００２７】
また、セキュリティ制御装置１４は、クレセントセンサ２８及びサムターンセンサ３０等のセンサから住宅の鍵の状態（施錠状態又は解錠状態）等の検出結果を取得して、取得した検出結果に基づいて、セキュリティの各種状態として、住宅内の鍵の施錠状態をセキュリティ制御装置１４の表示部やＨＥＭＳ１２の表示部等へ表示するように制御する。また、セキュリティ制御装置１４は、警戒モードへ移行した際には、人感センサ等によって住宅内の人の有無を検出することで、警戒モード中の不正な住宅への侵入を監視するようにしてもよい。
【００２８】
さらに、本実施の形態に係わる充電装置制御システム１０には、充電装置１６が設けられており、ハイブリッド自動車や電気自動車等に搭載される蓄電池を充電することが可能とされている。
【００２９】
充電装置１６は、屋外に設けられ、充電コネクタ２０が充電装置１６の所定位置に設けられた収納部へ収納可能とされている。充電コネクタ２０は、充電装置１６の収納部に収納された状態で、ロック機構２２によって取り出しを制限することが可能とされている。本実施の形態では、充電装置１６とＨＥＭＳ１２とが接続されており、ロック機構２２の動作制御をＨＥＭＳ１２からの指示によって行うことが可能とされている。すなわち、ＨＥＭＳ１２からロック機構を作動するように制御することができる。なお、ロック機構の動作の指示は、他の装置と連動してＨＥＭＳ１２が自動的に行うこともできるし、ユーザがＨＥＭＳ１２を操作して手動で行うこともできる。
【００３０】
また、充電装置１６には、ロック機構の作動状態を表示するための状態表示ランプ２３が設けられており、状態表示ランプ２３の点灯状態、或いは点灯色等によってロック機構の作動状態を住人に報知することが可能とされている。
【００３１】
また、本実施の形態では、ＨＥＭＳ１２から充電装置１６の充電許可／充電禁止を制御することが可能とされ、状態表示ランプ２３は、ＨＥＭＳ１２からの充電許可や充電禁止の状態も表示可能とされている。すなわち、点灯状態や点灯色等の組み合わせによって、ロック機構の作動状態や、充電装置１６の充電許可／禁止を確認することができる。なお、状態表示ランプ２３以外に専用の表示ランプや表示装置等を設けることによって、ＨＥＭＳ１２からの充電許可や充電禁止の状態を表示するようにしてもよい。
【００３２】
また、本実施の形態に係わる充電装置制御システム１０は、インターネット３６と接続くされたルータ３４が設けられている。ルータ３４は、ＨＥＭＳ１２及び充電装置１６のそれぞれと接続されて相互通信可能とされている。また、ルータ３４は、インターネット３６に接続され、予め定めたサービスセンタ３８と通信が可能に構成されている。
【００３３】
また、サービスセンタ３８には、住人が所有する携帯情報端末４０と通信するための情報が予め登録され、サービスセンタ３８と携帯情報端末４０と携帯電話通信網等を介して通信が可能とされている。すなわち、本実施の形態では、留守中に住宅内で異常が発生した場合などにおいて、セキュリティ制御装置１４が異常を検出した場合に、インターネット３６経由で住人が所有する携帯電話等の携帯情報端末４０に対して異常を報知可能とされている。
【００３４】
なお、携帯情報端末４０への異常報知を行う構成については、省略するようにしてもよいし、オプション設定としてもよい。
【００３５】
また、本実施の形態では、ＨＥＭＳ１２及び充電装置１６がルータ３４によって接続されて相互通信可能とされているが、セキュリティに関する制御を行うために、セキュリティ制御装置１４とＨＥＭＳ１２との接続、及びＨＥＭＳ１２と充電装置１６との接続が専用の接続配線によって接続されている。これによって、インターネット等の外部からの不正なアクセスにより住宅内の各機器が制御されることを防止することが可能となるので、セキュリティ性能を向上させることができる。
【００３６】
図２は、本発明の実施の形態に係わる充電装置制御システム１０の機能構成を示すブロック図である。
【００３７】
ＨＥＭＳ１２は、基本的には一般的なコンピュータの構成とされている。すなわち、図２に示すように、ＣＰＵ５０、ＲＯＭ５２、ＲＡＭ５４及び入出力ポート５６を備えており、それぞれシステムバスやデータバス等のバス５８に接続されていると共に、入出力ポート５６に表示部６０、操作部６２、及びメモリ６４等が接続されて構成されている。
【００３８】
ＲＯＭ５２には、各種プログラムや情報が記憶されており、ＲＯＭ５２に記憶された各種プルグラムをＲＡＭ５４に展開してＣＰＵ５０が実行することにより、ＨＥＭＳ１２の各種機能が実行される。
【００３９】
なお、操作部６２としては、表示部６０に設けたタッチパネルを適用するようにしてもよいし、機械的なスイッチ等を設けるようにしてもよいし、タッチパネル及び機械的なスイッチを共に設けるようにしてもよい。
【００４０】
また、入出力ポート５６には、セキュリティ制御装置１４、分電盤１８、ルータ３４、及び充電装置１６が接続されている。セキュリティ制御装置１４及び充電装置１６は、上述したように専用線で接続されるため図示は省略するが専用ポートが入出力ポート５６に接続されており、該専用ポートに専用線を介してセキュリティ制御装置１４と充電装置１６がそれぞれ接続されている。
【００４１】
また、図示は省略するが、セキュリティ制御装置１４もＨＥＭＳと同様に一般的なコンピュータの構成とされている。
【００４２】
セキュリティ制御装置１４には、上述したように、電子キー認証部２６、クレセントセンサ２８、及びサムターンセンサ３０等が接続されている。また、電子キー認証部２６には、玄関ドアのロックを作動するドアロックモータ２５が接続されており、セキュリティ制御装置１４によって行われる電子キー３２の認証が合致した場合に、ドアロックモータ２５が作動されるようになっている。
【００４３】
充電装置１６は、図２に示すように、充電装置１６に関する各種制御を行う制御部６６が設けられている。
【００４４】
制御部６６には、蓄電池の充電制御を行う充電制御部６８が接続されており、制御部６６が充電制御部６８を制御することによって車両に搭載された蓄電池への充電を統括的に制御するようになっている。なお、充電制御部６８は、例えば、充電対象の蓄電池の残量等に応じた電力を蓄電池へ供給することによって、蓄電池を適切に充電するための制御を行う。
【００４５】
また、制御部６６には、充電コネクタ２０のロック機構２２を作動させるロック駆動ソレノイド７０、及び状態表示ランプ２３が接続されており、ＨＥＭＳ１２からの指示に従ってロック駆動ソレノイド７０の作動や、状態表示ランプ２３の点灯が制御される。なお、ロック機構の作動は、ロック駆動ソレノイド７０に限るものではなく、例えば、モータ等の他のアクチュエータを適用するようにしてもよい。
【００４６】
ところで、上述のように構成された本実施の形態に係わる充電装置制御システム１０では、セキュリティ制御装置１４、ＨＥＭＳ１２、及び充電装置１６を連携させた制御を行うようになっている。
【００４７】
具体的には、電子キー認証部２６によって玄関ドア２４の施錠が行われて、電子キー３２の再認識によって警戒モードへ移行した場合に、セキュリティ制御装置１４がＨＥＭＳ１２に警戒モード移行指示を出力する。そして、ＨＥＭＳ１２では、警戒モード移行指示を受信した場合に、充電装置１６のロック機構２２を作動するように充電装置１６に指示を行うことによって、充電コネクタ２０の取り出しを制限するようになっている。これによって、外出時の第三者による意図しない充電コネクタ２０の取り出しを防止することが可能となる。なお、本実施の形態では、セキュリティ制御装置１４がＨＥＭＳ１２に警戒モード移行指示を出力するものとして説明するが、警戒モード移行指示そのものではなく、警戒モード移行指示を表す警戒情報を出力するものであってもよい。また、本実施の形態では、セキュリティ制御装置１４からＨＥＭＳ１２に警戒モード移行指示を行って、ＨＥＭＳ１２から充電装置１６にロック機構２２の作動指示を行うものとして説明するが、セキュリティ制御装置１４から充電装置１６に警戒モード移行指示、または警戒モード移行指示を表す警戒情報を直接出力することによって、充電装置１６がこれらの情報を受信した場合にロック機構２２を作動するようにしてもよい。
【００４８】
ここで、上述のセキュリティ制御装置１４、ＨＥＭＳ１２、及び充電装置１６を連携した制御を行うために各装置で行われる詳細な処理について説明する。
【００４９】
まず、セキュリティ制御装置１４で行われる処理について説明する。図３は、本発明の実施の形態に係わる充電装置制御システム１０におけるセキュリティ制御装置１４で行われる処理の流れの一例を示すフローチャートである。なお、図３の処理は、セキュリティ制御装置１４に何かしらの情報が送信された場合に開始するものとして説明する。
【００５０】
ステップ１００では、セキュリティ制御装置１４に送信された情報が、電子キー３２の認証要求か否か判定される。該判定は、電子キー認証部２６が電子キー３２からＩＤ等の識別情報を受信して、識別情報の認証要求が電子キー認証部２６より行われたか否かを判定し、該判定が肯定された場合にはステップ１０２へ移行し、否定された場合には当該処理をリターンして他の処理を行う。
【００５１】
ステップ１０２では、電子キー認証部２６から送信された電子キー３２の識別情報に基づく認証処理が行われてステップ１０４へ移行する。すなわち、予め登録された情報に電子キー３２から取得した識別情報が合致するかが判定されて、認証が成功した場合にステップ１０４へ移行する。なお、認証が失敗した場合には以降の処理は行わずに、電子キー認証部２６からエラー音等を発生して処理を終了する。
【００５２】
ステップ１０４では、玄関ドアのロック指示か否か判定される。該判定は、玄関ドアがアンロック状態か否かを判定し、該判定が肯定された場合にはステップ１０６へ移行し、否定された場合にはステップ１１２へ移行する。
【００５３】
ステップ１０６では、玄関ドアがロックされてステップ１０８へ移行する。本実施形態では、セキュリティ制御装置１４から電子キー認証部２６に対して玄関ドアロック指示を行うことにより、ドアロックモータ２５が駆動されて玄関ドアのロックが施錠される。
【００５４】
ステップ１０８では、警戒モード指示が行われたか否か判定される。該判定は、玄関ドアが施錠された後に、予め定めた時間以内に、電子キー認証部２６が電子キー３２を再度認識したか否かを判定し、該判定が肯定された場合にはステップ１１０へ移行し、否定された場合にはステップ１１２へ移行する。
【００５５】
ステップ１１０では、警戒モードへ移行すると共に、ＨＥＭＳ１２に対して警戒モード移行を指示してステップ１１２へ移行する。すなわち、クレセントセンサ２８やサムターンセンサ３０の検出結果を監視することにより、外出中の不正な鍵の操作や、不審者侵入の監視を開始する。
【００５６】
ステップ１１２では、玄関ドアのロック解除指示が行われたか否か判定される。該判定は、電子キー３２の認証が合致した後に、玄関ドアがロック状態か否かを判定し、該判定が肯定された場合にはステップ１１４へ移行し、否定された場合にはそのまま当該処理をリターンして他の処理を行う。
【００５７】
ステップ１１４では、玄関ドアのロック及び警戒モードが解除されてステップ１１６へ移行する。本実施形態では、セキュリティ制御装置１４から電子キー認証部２６に対して玄関ドアロック解除指示を行うことにより、ドアロックモータ２５が駆動されて玄関ドアのロックが解除される。また、外出中の不正な鍵の操作や、不審者侵入の監視が解除される。
【００５８】
ステップ１１６では、ＨＥＭＳ１２に対して警戒モード解除を指示して一連の処理をリターンして他の処理が行われる。
【００５９】
次に、ＨＥＭＳ１２で行われる処理について説明する。図４は、本発明の実施の形態に係わる充電装置制御システム１０におけるＨＥＭＳ１２で行われる処理の流れの一例を示すフローチャートである。なお、図４の処理は、ＨＥＭＳ１２に何かしらの情報が送信された場合に開始するものとして説明する。
【００６０】
ステップ２００では、警戒モード移行指示がセキュリティ制御装置１４から出力されたか否か判定される。すなわち、上述のステップ１１０により警戒モード移行が指示されたか否かを判定し、該判定が肯定された場合にはステップ２０２へ移行し、否定された場合にはステップ２０６へ移行する。
【００６１】
ステップ２０２では、ＨＥＭＳ１２が警戒モードへ移行してステップ２０４へ移行する。なお、ＨＥＭＳにおける警戒モードがない場合には当該処理をスキップしてステップ２０４へ移行する。
【００６２】
ステップ２０４では、充電装置１６の充電コネクタをロックする指示が充電装置１６に対して出力されると共に、表示部６０に充電が不可能である旨が表示されてステップ２０６へ移行する。
【００６３】
ステップ２０６では、警戒モードの解除指示がセキュリティ制御装置１４から出力されたか否か判定される。該判定は、上述のステップ１１６により警戒モード解除指示が出力されたか否かを判定し、該判定が肯定された場合にはステップ２０８へ移行し、否定された場合には当該処理をリターンして他の処理を行う。
【００６４】
ステップ２０８では、通常モードへ移行してステップ２１０へ移行する。なお、警戒モードがない場合には通常モードのままであるため、当該処理をスキップしてステップ２１０へ移行する。
【００６５】
ステップ２１０では、充電装置１６の充電コネクタのロック解除指示が充電装置１６に出力されると共に、表示部６０に充電が可能である旨が表示されて一連の処理がリターンされて他の処理が行われる。
【００６６】
続いて、充電装置１６で行われる処理について説明する。図５は、本発明の実施の形態に係わる充電装置制御システム１０における充電装置１６で行われる処理の流れの一例を示すフローチャートである。なお、図５の処理は、充電装置１６に何かしらの情報が送信された場合に開始するものとして説明する。
【００６７】
ステップ３００では、充電コネクタ２０のロック指示がＨＥＭＳ１２から出力されたか否か判定される。すなわち、上述のステップ２０４で充電コネクタ２０のロック指示が行われたか否かを判定し、該判定が肯定された場合にステップ３０２へ移行し、否定された場合にはステップ３０６へ移行する。
【００６８】
ステップ３０２では、充電コネクタ２０が充電装置１６の所定の位置の収納部に収納されている状態か否か判定される。該判定は、例えば、充電コネクタ２０の収納部にセンサ等を設けて判定し、該判定が否定された場合には肯定されるまで待機してステップ３０４へ移行する。なお、該判定が肯定されることなく予め定めた時間が経過した場合には、警告音等によって充電コネクタ２０の収納を促すようにしてもよい。或いは、そのまま処理を終了するようにしてもよいし、他のエラー処理を行うようにしてもよい。
【００６９】
ステップ３０４では、ロック駆動ソレノイド７０がロック方向へ作動されると共に、ロック作動が表示されてステップ３０６へ移行する。すなわち、ロック機構２２によって充電コネクタ２０が充電装置１６の所定の位置の収納部にロックされて取り出しが制限される。また、状態表示ランプ２３の点灯や点滅等が制御されて、充電コネクタ２０がロックされていることが表示される。これによって、不在時の第三者による意図しない充電コネクタ２０の取り出しを防止することができると共に、セキュリティ制御装置１４の認証機能を利用するので、充電装置１６の認証を省略することができる。また、状態表示ランプ２３によって利用者が充電装置１６を使用可能な状態かを容易に判断することができる。
【００７０】
ステップ３０６では、充電コネクタ２０のロック解除か否か判定される。該判定は、上述のステップ２１０で充電コネクタ２０のロック解除指示がＨＥＭＳ１２より出力されたか否かを判定し、該判定が肯定された場合にはステップ３０８へ移行し、否定された場合には一連の処理をリターンして他の処理が行われる。なお、ステップ３０６の判定は、予め定めた解除操作が充電装置１６に対して行われたか否かを判定するようにしてもよい。
【００７１】
ステップ３０８では、ロック駆動ソレノイド７０がロック解除方向へ作動されると共に、ロック解除が表示されて一連の処理をリターンして他の処理が行われる。すなわち、ロック機構２２による充電コネクタ２０のロックが解除されて充電コネクタ２０の取り出しが可能となる。また、状態表示ランプ２３の点灯や点滅等が制御されて、充電コネクタ２０が使用可能であることが表示される。
【００７２】
このように、本実施の形態に係わる充電装置制御システム１０では、セキュリティ制御装置１４、ＨＥＭＳ１２、及び充電装置１６を連携した制御を行うことにより、セキュリティ制御装置１４の認証機能を利用して、外出時の第三者による意図しない充電コネクタ２０の充電装置１６からの取り出しを容易に防止することができる。
【００７３】
また、セキュリティ制御装置１４の認証機能を利用するため、充電装置１６に認証装置を別途特別に設けることなく、安価なシステムを構築することが可能となる。
【００７４】
また、利用者は、状態表示ランプ２３によって充電装置１６を使用可能か否かを判断することができる。
【００７５】
なお、上記の実施の形態では、ＨＥＭＳ１２と、セキュリティ制御装置１４と、を別々の構成として説明したが、これに限るものではなく、例えば、ＨＥＭＳ１２又はセキュリティ制御装置１４に双方の機能を備える構成としてもよい。
【００７６】
また、上記の実施の形態では、充電装置１６に状態表示ランプ２３を設けるようにしたが、液晶等の表示部を設けて、充電可否を表示可能としてもよい。
【符号の説明】
【００７７】
１０    充電装置制御システム
１２    ＨＥＭＳ
１４    セキュリティ制御装置
１６    充電装置
２０    充電コネクタ
２２    ロック機構
２３    状態表示ランプ
２６    電子キー認証部
３２    電子キー
６０    表示部
７０    ロック駆動ソレノイド
【図１】
2014171328.tif 000003
【図２】
2014171328.tif 000004
【図３】
2014171328.tif 000005
【図４】
2014171328.tif 000006
【図５】
2014171328.tif 000007